(57)【特許請求の範囲】
【請求項１】
ホスト装置のケージに第１の方向に沿って一端側から取り付けられる光モジュールであって、
光素子と、
前記光素子を収容し、主面を有する筐体と、
前記筐体を覆い前記ケージの内面に接触する導電性のシールド部材と、
を備え、
前記シールド部材は、前記主面において前記第１の方向と直交する第２の方向の一方側から他方側に順に配置された第１部分と第２部分とを有し、
前記第１部分の前記一端側の第１端部は、前記一方側から前記他方側に向かうにつれ前記一端側から前記一端側と反対の他端側に傾斜し、
前記第２部分の前記一端側の第２端部は、前記他方側から前記一方側に向かうにつれ前記一端側から前記他端側に傾斜していることを特徴とする光モジュール。
【請求項２】
前記主面は、前記第１端部および前記第２端部の各々に対応して一対の第１溝部を有し、
前記第１端部および前記第２端部の各々は、屈曲されて前記第１溝部に収容されていることを特徴とする請求項１に記載の光モジュール。
【請求項３】
前記主面は前記第１の方向に沿って延びる一対の第２溝部をさらに有し、
前記シールド部材は、前記筐体の前記第１の方向に沿った軸の軸周りに前記筐体を覆う一枚の板状部材からなり、
前記第１部分は、前記他方側に前記第１の方向に沿って延びるＵ字状の断面形状を有する第３端部を有し、
前記第２部分は、前記一方側に前記第１の方向に沿って延びるＵ字状の断面形状を有する第４端部を有し、
前記第３端部は、前記Ｕ字状の断面形状により前記一対の第２溝部の一方に嵌合し、
前記第４端部は、前記Ｕ字状の断面形状により前記一対の第２溝部の他方に嵌合している、請求項１又は請求項２に記載の光モジュール。
【発明の詳細な説明】
【技術分野】
【０００１】
本発明は、発光素子および受光素子等の光素子を有し、光通信装置（ホスト装置）に取り付けられる光モジュールに関するものである。
【背景技術】
【０００２】
従来の光モジュールとしては、例えば下記の特許文献１に記載されているように、光サブアセンブリ、放熱部材等を搭載する筐体と、筐体を覆うカバーと、筐体およびカバーを取り巻くように設けられたフィンガ部材（シールド部材）と、を備えたものが知られている。この光モジュールでは、筐体に搭載された光サブアセンブリおよび放熱部材等によるカバーの浮き上がりを、シールド部材によって抑えている。
【先行技術文献】
【特許文献】
【０００３】
【特許文献１】特開２００７−１４７６６４号公報
【発明の概要】
【発明が解決しようとする課題】
【０００４】
しかしながら、上記従来技術においては、以下の問題点が存在する。すなわち、ホスト装置に設けられたケージの中央部が垂れ下がっていることがある。また、光モジュール内の部品の製造公差等による筐体の膨らみ又は衝撃等によって、シールド部材が筐体から浮き上がることがある。このような場合、上記特許文献１に記載の光モジュールをケージの開口部に挿入すると、シールド部材の端部がケージの開口縁と面接触し、光モジュールをホスト装置に取り付けるのが困難となる。
【０００５】
そこで本発明は、このような問題点を解決するためになされたものであって、ケージへの取付けを容易化する構造を有する光モジュールを提供することを目的とする。
【課題を解決するための手段】
【０００６】
上記課題を解決するため、本発明に係る光モジュールは、ホスト装置のケージに第１の方向に沿って一端側から取り付けられる光モジュールであって、光素子と、光素子を収容し、主面を有する筐体と、筐体を覆いケージの内面に接触する導電性のシールド部材と、を備える。また、シールド部材は、主面において第１の方向と直交する第２の方向の一方側から他方側に沿って配置された第１部分と第２部分とを有し、第１部分の一端側の第１端部は、一方側から他方側に向かうにつれ一端側から一端側と反対の他端側に傾斜し、第２部分の一端側の第２端部は、他方側から一方側に向かうにつれ一端側から他端側に傾斜していることを特徴とする。
【０００７】
この光モジュールにおいては、シールド部材の一方側に配置された第１部分の一端側の第１端部が、一方側から他方側に向かうにつれ一端側から他端側に傾斜している。また、シールド部材の他方側に配置された第２部分の一端側の第２端部が、他方側から一方側に向かうにつれ一端側から他端側に傾斜している。このため、光モジュールを一端側からケージに取り付ける場合において、ケージの開口縁と第１端部および第２端部との接触面積を抑えることができる。その結果、光モジュールのケージへの取付け負荷を低減することができ、光モジュールのケージへの取付けを容易化することが可能となる。
【０００８】
主面は、第１端部および第２端部の各々に対応して一対の第１溝部を有し、第１端部および第２端部の各々は、屈曲されて第１溝部に収容されているのが好ましい。この場合、第１端部および第２端部が主面よりも筐体の内側に位置する。このため、光モジュールをケージに取り付ける場合において、ケージの開口縁はシールド部材の主面に接触する。そして、ケージの開口縁がシールド部材の主面に接触した状態でさらに光モジュールを押し込むと、シールド部材の摺動性により、ケージの開口縁はシールド部材の主面に沿って移動することができる。その結果、光モジュールのケージへの取付け負荷を低減することができ、光モジュールのケージへの取付けを容易化することが可能となる。
【０００９】
主面は第１の方向に沿って延びる一対の第２溝部をさらに有し、シールド部材は、筐体の第１の方向に沿った軸の軸周りに筐体を覆う一枚の板状部材からなり、第１部分は、他方側に第１の方向に沿って延びるＵ字状の断面形状を有する第３端部を有し、第２部分は、一方側に第１の方向に沿って延びるＵ字状の断面形状を有する第４端部を有し、第３端部は、Ｕ字状の断面形状により一対の第２溝部の一方に嵌合し、第４端部は、Ｕ字状の断面形状により一対の第２溝部の他方に嵌合しているのが好ましい。この場合、第３端部の内面側のエッジが一対の第２溝部の一方の他方側の側面に当接することによって、シールド部材の第３端部と一対の第２溝部の一方との接触面積を抑えることができ、一対の第２溝部の一方に対する第３端部の押圧力の分散を抑えることができる。同様に、一対の第２溝部の他方に対する第４端部の押圧力の分散を抑えることができる。その結果、シールド部材が筐体から浮き上がることを抑制できる。
【発明の効果】
【００１０】
本発明によれば、光モジュールの取付けを容易化することができる。
【図面の簡単な説明】
【００１１】
【図１】本実施形態に係る光モジュールを示す図である。
【図２】図１の光モジュールを分解して示す上方斜視図である。
【図３】図１の光モジュールを分解して示す下方斜視図である。
【図４】図１の光モジュールの側面を一部破断して示す図である。
【図５】本実施形態に係るシールド部材を示す図である。
【図６】本実施形態に係るシールド部材を示す図である。
【図７】本実施形態に係る本体部を示す図である。
【図８】図１の光モジュールの組立過程を示す図である。
【図９】図１の光モジュールの取付過程を示す図である。
【図１０】（ａ）は従来の光モジュールとケージとの接触を示す図、（ｂ）は図１の光モジュールとケージとの接触を示す図である。
【図１１】（ａ）は図１０の（ａ）のＸＩ（ａ）−ＸＩ（ａ）断面図、（ｂ）は図１０の（ｂ）のＸＩ（ｂ）−ＸＩ（ｂ）断面図である。
【図１２】（ａ）は図１０の（ａ）のＸＩＩ（ａ）−ＸＩＩ（ａ）断面図、（ｂ）は図１０の（ｂ）のＸＩＩ（ｂ）−ＸＩＩ（ｂ）断面図である。
【発明を実施するための形態】
【００１２】
以下、添付図面を参照して本発明の実施の形態を詳細に説明する。なお、図面の説明において同一の要素には同一の符号を付し、重複する説明を省略する。
【００１３】
図１は、本実施形態に係る光モジュールを示す図である。図２は、図１に示した光モジュールを分解して示す上方斜視図である。図３は、図１に示した光モジュールを分解して示す下方斜視図である。光モジュール１は、ホスト装置（不図示）に取り付けられ、光通信に用いられるモジュールである。図１に示されるように、光モジュール１は、本体部２およびシールド部材３を備えている。
【００１４】
図２および図３に示されるように、本体部２は、上筐体４（筐体）と、下筐体５（筐体）と、受光素子６（光素子）と、発光素子７（光素子）と、回路基板８と、基板ホルダ９と、放熱シート１１と、前方シールド部材１２と、アクチュエータ１３と、ベール１４と、を備えている。以下の説明において、光モジュール１の上下、前後、左右とは、上筐体４側を上、下筐体５側を下、受光素子６および発光素子７が配置されている側を前としたときの方位を意味するものとする。
【００１５】
上筐体４および下筐体５は、前後方向（第１の方向）に長尺な筐体であって、その内部に受光素子６、発光素子７、回路基板８、基板ホルダ９および放熱シート１１を保持するための筐体である。上筐体４および下筐体５の材質は、例えば亜鉛などの金属である。上筐体４は、下筐体５の上部を覆う蓋として機能し、下筐体５は、底面および側壁として機能する。また、上筐体４および下筐体５は、本体部２の内部で生ずる電磁ノイズが本体部２の外部へ漏洩するのを遮蔽するための部材としても機能する。ここで、上筐体４と下筐体５との組み付け時にがたつきが生じた場合、上筐体４と下筐体５との間に隙間ができる。この上筐体４と下筐体５との間の隙間からは電磁ノイズが漏洩する。電磁ノイズが漏洩すると、光モジュール１の特性劣化につながる。そこで、上筐体４と下筐体５とはがたつきを生じないように組み付けられることが必要である。
【００１６】
受光素子６は、光モジュール１の外部から光ファイバを介して受信した光信号を電気信号に変換するための素子である。受光素子６と回路基板８とは、所定形状のコネクタによって互いに接続されている。受光素子６によって変換された電気信号は、コネクタを介して回路基板８に伝送される。
【００１７】
発光素子７は、回路基板８から受信した電気信号を光信号に変換し、変換した光信号を光ファイバを介して光モジュール１の外部へ送信する素子である。発光素子７は、遠方に光信号を伝送するために、比較的大電流で駆動される。このため、発光素子７は、動作時には大きな熱を発生する。発光素子７と回路基板８とは、所定形状のコネクタによって互いに接続されている。回路基板８からの電気信号は、コネクタを介して発光素子７に伝送される。なお、受光素子６および発光素子７は、下筐体５の前側（他端側）に左右方向（第２の方向）に並んで収容されている。
【００１８】
回路基板８は、本実施形態においては、上基板８Ａおよび下基板８Ｂの２枚のプリント基板から構成される。これらの上基板８Ａおよび下基板８Ｂには、複数の回路部品が実装されている。上基板８Ａおよび下基板８Ｂでは、受光素子６から受信した信号に対して所定の処理が行われ、この処理された信号が電気信号として光モジュール１の外部に伝送される。また、上基板８Ａおよび下基板８Ｂでは、光モジュール１の外部から伝送されてきた電気信号に対して所定の処理が行われ、この処理された信号が発光素子７に送信される。上基板８Ａと下基板８Ｂとは、フレキシブルケーブルにより互いに電気的に接続されている。
【００１９】
基板ホルダ９は、上基板８Ａと下基板８Ｂとを相互に固定するための部材である。基板ホルダ９は、上基板８Ａと下基板８Ｂとの間に配置される。なお、上基板８Ａおよび下基板８Ｂに搭載される回路部品を１枚のプリント基板にまとめることも可能である。この場合には基板ホルダ９は不要である。
【００２０】
放熱シート１１は、受光素子６、発光素子７および回路基板８が発する熱を上筐体４および下筐体５に逃がすためのシートである。放熱シート１１は、例えば発光素子７の上面及び下面、下基板８Ｂの下面など、発熱量の大きい部品に接する場所に適宜設けられる。
【００２１】
ここで、図４を用いて、放熱シート１１についてより詳細に説明する。図４は、光モジュール１の側面を一部破断して示す図である。熱を上筐体４および下筐体５に効率良く逃がすために、放熱シート１１は、筐体（上筐体４および下筐体５）と部品（発光素子７）との両方に密着する必要がある。一方、筐体と部品との間隔は、製造公差によって個体ごとに異なる。具体的には、筐体と部品との間隔の設計寸法が１．０ｍｍ程度であるのに対し、製造公差により、この間隔が最大の個体と最小の個体との間で０．４ｍｍ程度の差が生じる。この製造公差に対応するため、放熱シート１１は、筐体と部品との間隔が最大となる個体においても筐体と部品とを密着させることができる程度の十分な厚さを有する。一方、放熱シート１１は、筐体と部品との間隔が最小となる個体においても、その間隔内に収まるように十分に圧縮され得る。すなわち、放熱シート１１は、その弾性によって、筐体と部品との間隔の製造公差を吸収する。したがって、放熱シート１１の材質としては、例えばシリコーンゴムなどの弾性体が用いられる。なお、放熱シート１１は、筐体と部品との間で圧縮されることによって、反発力を生じる。この反発力は上筐体４を上側の方向に押す力として作用する。
【００２２】
図２および図３に戻り、説明を続ける。前方シールド部材１２は、本体部２の内部で発生される電磁ノイズが外部に放射されるのを防ぐための部材である。アクチュエータ１３およびベール１４は、ケージＣへの光モジュール１の係合時及び脱着時に用いられる部材である。アクチュエータ１３およびベール１４は、下筐体５の前端に取り付けられる。アクチュエータ１３は、その後端側にケージＣとの係合に用いられる係合突起を有している。光モジュール１をケージＣへ挿入すると、この係合突起がケージＣの凹部に係止される。ベール１４は、左右方向を軸として回動可能に設けられている。光モジュール１をケージＣから取り外すときには、ベール１４を回動操作することにより、アクチュエータ１３に設けられた係合突起を動かして係止状態を解除する。係止状態が解除されると、光モジュール１をケージＣから取り外すことができる。
【００２３】
続いて、上述したシールド部材３についてさらに詳細に説明する。図５および図６は、シールド部材３を示す図である。図５および図６に示されるように、シールド部材３は、複数のフィンガー部３１と、本体部２（上筐体４および下筐体５）に外側から装着される嵌合部３２と、を備えている。シールド部材３は、前後方向を軸として、軸周りに本体部２の前端側を覆う一枚の板状部材からなり、例えば銅板から切り出された一枚の板状部材（板金）を本体部２の外形に沿って曲げ加工して一体的に形成される。嵌合部３２は、下面部３２Ａ、左側面部３２Ｂ、右側面部３２Ｃ、第１上面部３２Ｄ（第１部分）および第２上面部３２Ｅ（第２部分）とを備えている。下面部３２Ａは、下筐体５の下面に対向している。左側面部３２Ｂおよび右側面部３２Ｃは、下面部３２Ａに直交するように下面部３２Ａの左右端部からそれぞれ上側に延びており、それぞれ下筐体５の左側面および右側面に対向している。また、第１上面部３２Ｄは、左側面部３２Ｂに直交するように左側面部３２Ｂの上端部から右側（他方側）に延びている。第２上面部３２Ｅは、右側面部３２Ｃに直交するように右側面部３２Ｃの上端部から左側（一方側）に延びている。第１上面部３２Ｄの右端部と第２上面部３２Ｅの左端部とは、上筐体４の上面４ｆ（主面）に対向して設けられ、所定の間隔離れて互いに隣り合っている。
【００２４】
第１上面部３２Ｄおよび第２上面部３２Ｅの各々には、後端縁３２ａと、屈曲部３２ｂと、貫通孔３２ｃとが設けられている。後端縁３２ａは、第１上面部３２Ｄの後端部および第２上面部３２Ｅの後端部に設けられている。第１上面部３２Ｄの後端部に設けられた後端縁３２ａ（第１端部）は、右側から左側に向かうにつれ前側から後側（一端側）に傾斜して延びている。第２上面部３２Ｅの後端部に設けられた後端縁３２ａ（第２端部）は、左側から右側に向かうにつれ前側から後側に傾斜して延びている。また、各後端縁３２ａは、第１上面部３２Ｄおよび第２上面部３２Ｅよりも下方に曲げられている。この各後端縁３２ａは、後述するように、シールド部材３を本体部２に取り付けた際に、上筐体４の上面４ｆに設けられた第１溝部４ａに収容される。
【００２５】
屈曲部３２ｂは、第１上面部３２Ｄの右端部および第２上面部３２Ｅの左端部に設けられている。第１上面部３２Ｄの右端部に設けられた屈曲部３２ｂ（第３端部）は、第１上面部３２Ｄの右端部から第１上面部３２Ｄよりも下方に曲げられ、さらに上方に折り返されて右側に傾斜して延びており、左右方向に沿って略Ｕ字状の断面形状を呈している。第２上面部３２Ｅの左端部に設けられた屈曲部３２ｂ（第４端部）は、第２上面部３２Ｅの左端部から第２上面部３２Ｅよりも下方に曲げられ、さらに上方に折り返されて左側に傾斜して延びており、左右方向に沿って略Ｕ字状の断面形状を呈している。各屈曲部３２ｂの先端部は、第１上面部３２Ｄおよび第２上面部３２Ｅよりも下側に位置している。各屈曲部３２ｂは、シールド部材３を本体部２に取り付けた際に、上筐体４の上面４ｆに設けられた第２溝部４ｂに嵌合される。このとき、第１上面部３２Ｄの右端部に設けられた屈曲部３２ｂの右側のエッジ３２ｅによって、この屈曲部３２ｂは第２溝部４ｂの右側面に当接する。同様に、第２上面部３２Ｅの左端部に設けられた屈曲部３２ｂの左側のエッジ３２ｅによって、この屈曲部３２ｂは第２溝部４ｂの左側面に当接する。
【００２６】
貫通孔３２ｃは、第１上面部３２Ｄの左側および第２上面部３２Ｅの右側に設けられており、例えば略円形の形状を呈している。各貫通孔３２ｃには、シールド部材３を本体部２に取り付けた際に、上筐体４の上面４ｆに設けられた突部４ｃが挿通される。なお、貫通孔３２ｃは、下面部３２Ａにも設けられている。
【００２７】
複数のフィンガー部３１は、嵌合部３２の前端部に沿って所定の間隔で配置されている。各フィンガー部３１は、本体部２の外側に向かって膨らむように曲がりつつ、前方に延在している。フィンガー部３１は、光モジュール１をホスト装置のケージＣに挿入した際に、接地電位のケージＣの内面と電気的に接触すると共に、ケージＣに対する放熱経路の一部を形成する。
【００２８】
続いて、上述した本体部２についてさらに詳細に説明する。図７は、本体部２を示す図である。図７に示されるように、本体部２の上筐体４の上面４ｆの前方には、一対の第１溝部４ａ，４ａと、一対の第２溝部４ｂ，４ｂと、一対の突部４ｃとが設けられている。一対の第１溝部４ａ，４ａはそれぞれ、上筐体４の左右方向の中心付近から左右の辺に向かって伸び、中心付近から左右の辺に向かうにつれ前側から後側に傾斜した形状を呈している。この第１溝部４ａは、シールド部材３の後端縁３２ａの外形に沿って設けられている。一対の第２溝部４ｂ，４ｂは、上筐体４の左右方向の中心付近において、前後方向に沿って平行に設けられている。各第２溝部４ｂの後端部は、第１溝部４ａの中心付近の端部に連接されている。この第２溝部４ｂは、シールド部材３の屈曲部３２ｂの外形に沿って設けられており、第２溝部４ｂの幅は屈曲部３２ｂの左右方向の長さより僅かに小さい。一対の突部４ｃ，４ｃは、第２溝部４ｂを挟んで上筐体４の左右の辺付近に設けられている。この突部４ｃは、シールド部材３の貫通孔３２ｃに挿通可能なように、貫通孔３２ｃの外形に沿って設けられている。
【００２９】
続いて、光モジュール１の組立方法について説明する。図８は、光モジュール１の組立過程を示す図である。まず、下筐体５に受光素子６、発光素子７、回路基板８、基板ホルダ９、放熱シート１１および前方シールド部材１２を収容し、下筐体５にアクチュエータ１３およびベール１４を組み付けた後、上筐体４によって下筐体５の蓋をして本体部２を組み立てる。そして、図８の（ａ）に示されるように、本体部２の後端部からシールド部材３を本体部２に嵌め合わせる。このとき、シールド部材３の各貫通孔３２ｃに上筐体４の各突部４ｃを嵌めることによって、本体部２に対してシールド部材３が位置決めされる。そして、屈曲部３２ｂを第２溝部４ｂに押し込むとともに、後端縁３２ａを第１溝部４ａに収容する。以上にようにして、図８の（ｂ）に示されるように、光モジュール１が組み立てられる。
【００３０】
続いて、光モジュール１の取付方法について説明する。図９は、光モジュール１の取付過程を示す図である。まず、図９の（ａ）に示されるように、ケージＣの開口部Ｃａに後端部側から光モジュール１を挿入する。そして、光モジュール１をケージＣに挿入していくと、図９の（ｂ）に示されるように、光モジュール１のシールド部材３の後端部がケージＣの開口縁Ｃｂに接触する。さらに、光モジュール１をケージＣに押し込むと、図９の（ｃ）に示されるように、ケージＣに光モジュール１が覆われる。以上のようにして、光モジュール１がホスト装置のケージＣに取り付けられる。
【００３１】
続いて、光モジュール１の作用効果を説明する。図１０の（ａ）は従来の光モジュールとケージとの接触を示す図、（ｂ）は図１の光モジュールとケージとの接触を示す図である。図１０の（ａ）に示されるように、従来の光モジュール１００は、本体部２０とシールド部材３０とを備えている。このシールド部材３０の後端縁３２０ａは、左右方向に沿って延びている。この光モジュール１００をケージＣに取り付ける場合、ケージＣの中央部が垂れ下がっているか、又は、シールド部材３０が筐体から浮き上がっていると、シールド部材３０の後端縁３２０ａがケージＣの開口縁Ｃｂに接触することがある。このとき、後端縁３２０ａは左右方向に沿って延びているため、後端縁３２０ａ全体とケージＣの開口縁Ｃｂとが面接触する。このため、光モジュール１００をケージＣに取り付けるのが困難である。
【００３２】
一方、図１０の（ｂ）に示されるように、光モジュール１は、本体部２およびシールド部材３を備えており、シールド部材３の第１上面部３２Ｄの後端部と第２上面部３２Ｅの後端部とにそれぞれ、後端縁３２ａが設けられている。第１上面部３２Ｄの後端部に設けられた後端縁３２ａは、第１上面部３２Ｄの右側から左側に向かうにつれ前側から後側に傾斜している。第２上面部３２Ｅの後端部に設けられた後端縁３２ａは、第２上面部３２Ｅの左側から右側に向かうにつれ前側から後側に傾斜している。この光モジュール１をケージＣに取り付ける場合、ケージＣの中央部の垂れ下がり又はシールド部材３の浮き上がりが存在したとしても、シールド部材３の後端縁３２ａの一部においてケージＣの開口縁Ｃｂと接触するだけで、後端縁３２ａとケージＣの開口縁Ｃｂとの接触面積を従来の光モジュール１００よりも抑えることができる。その結果、光モジュール１のケージＣへの取付け負荷を低減することができ、光モジュール１のケージＣへの取付けを容易化することが可能となる。また、シールド部材３の後端縁３２ａは、ケージＣの開口縁Ｃｂの左端および右端に最初に接触する。このとき、ケージＣの左右方向の両端では垂れ下がりが少ないため、後端縁３２ａがケージＣの下に入り込むことができる。そして、光モジュール１をケージＣにさらに押し込んだ場合、ケージＣの中央部が垂れ下がっていたとしても、後端縁３２ａに沿ってケージＣの開口縁Ｃｂが持ち上げられるため、光モジュール１をケージＣへ簡単に取り付けることができる。
【００３３】
図１１の（ａ）は図１０の（ａ）のＸＩ（ａ）−ＸＩ（ａ）断面図、（ｂ）は図１０の（ｂ）のＸＩ（ｂ）−ＸＩ（ｂ）断面図である。図１１の（ａ）に示されるように、従来の光モジュール１００では、シールド部材３０の後端縁３２０ａは左右方向に沿って延びている。また、シールド部材３０は、前後方向において上筐体４の上面４ｆに平行に延びている。この光モジュール１００をケージＣに取り付ける場合、ケージＣの中央部が垂れ下がっていると、シールド部材３０の後端縁３２０ａがケージＣの開口縁Ｃｂに接触することがある。このとき、後端縁３２０ａは左右方向に沿って延びているため、後端縁３２０ａ全体とケージＣの開口縁Ｃｂとが面接触する。このため、光モジュール１００をケージＣに取り付けるのが困難である。
【００３４】
一方、図１１の（ｂ）に示されるように、光モジュール１では、後端縁３２ａは第１上面部３２Ｄおよび第２上面部３２Ｅよりも下方に曲げられている。そして、光モジュール１では、上筐体４の上面４ｆに第１溝部４ａが設けられ、後端縁３２ａは第１溝部４ａに収容されている。この光モジュール１をケージＣに取り付ける場合、ケージＣの開口縁Ｃｂは後端縁３２ａの上面に接触する。そして、ケージＣの開口縁Ｃｂが後端縁３２ａの上面に接触した状態でさらに光モジュール１をケージＣに押し込むと、後端縁３２ａの摺動性により、ケージＣの開口縁Ｃｂはシールド部材３の上面に沿って移動することができる。その結果、光モジュール１のケージＣへの取付け負荷を低減することができ、光モジュール１のケージＣへの取付けを容易化することが可能となる。
【００３５】
図１２の（ａ）は図１０の（ａ）のＸＩＩ（ａ）−ＸＩＩ（ａ）断面図、（ｂ）は図１０の（ｂ）のＸＩＩ（ｂ）−ＸＩＩ（ｂ）断面図である。上述したように、光モジュール１００内の部品の製造公差等による筐体の膨らみ又は衝撃等により、シールド部材３０の第１上面部および第２上面部が筐体から浮き上がる方向にシールド部材３０に力が加わることがある。図１２の（ａ）に示されるように、従来の光モジュール１００では、シールド部材３０の第１上面部の右端部および第２上面部の左端部にそれぞれ設けられている屈曲部３２０ｂは、第１上面部および第２上面部に対して略垂直に下方に折り曲げられている。この光モジュール１００では、シールド部材３０の第１上面部および第２上面部が筐体から浮き上がる方向に加わる力に対し、シールド部材３０の形状保持力によってシールド部材３０の浮きを抑えている。しかしながら、シールド部材３０の形状保持力だけでは、筐体が大きく膨らんだ場合又は大きな衝撃を受けた場合に、シールド部材３０の浮きを抑えることはできない。そして、シールド部材３０が筐体から浮き上がると、光モジュール１００をケージＣに取り付ける場合に、シールド部材３０の後端縁３２０ａがケージＣの開口縁Ｃｂに面接触するため、光モジュール１００をケージＣに取り付けるのが困難になる。
【００３６】
一方、図１２の（ｂ）に示されるように、光モジュール１では、上筐体４の上面４ｆには、前後方向に沿って一対の第２溝部４ｂが設けられている。また、シールド部材３は、前後方向を軸として、軸周りに上筐体４および下筐体５を覆う一枚の板状部材からなり、シールド部材３の第１上面部３２Ｄの右端部および第２上面部３２Ｅの左端部の各々に、第２溝部４ｂの内面に沿った屈曲部３２ｂが設けられている。第１上面部３２Ｄの右端部に設けられた屈曲部３２ｂは、第１上面部３２Ｄの右端部から第１上面部３２Ｄよりも下方に曲げられ、さらに上方に折り返されて右側に傾斜して延びている。第２上面部３２Ｅの左端部に設けられた屈曲部３２ｂは、第２上面部３２Ｅの左端部から第２上面部３２Ｅよりも下方に曲げられ、さらに上方に折り返されて左側に傾斜して延びている。そして、各屈曲部３２ｂの先端部は、第１上面部３２Ｄおよび第２上面部３２Ｅよりも下側に位置している。シールド部材３を本体部２に取り付けた場合、屈曲部３２ｂは第２溝部４ｂに嵌合される。そして、各屈曲部３２ｂの先端部のエッジ３２ｅが第２溝部４ｂの側面に当接することによって、シールド部材３の屈曲部３２ｂと第２溝部４ｂとの接触面積を抑えることができ、屈曲部３２ｂの第２溝部４ｂに対する押圧力の分散を抑えることができる。このため、シールド部材３が本体部２から浮き上がることを抑制できる。その結果、光モジュール１をケージＣに取り付ける場合に、シールド部材３の後端縁３２ａとケージＣの開口縁Ｃｂとの接触面積を抑えることができ、光モジュール１のケージＣへの取付けを容易化することが可能となる。
【００３７】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００３８】
１…光モジュール、３…シールド部材、４…上筐体（筐体）、４ａ…第１溝部、４ｂ…第２溝部、４ｆ…上面（主面）、５…下筐体（筐体）、６…受光素子（光素子）、７…発光素子（光素子）、３２Ｄ…第１上面部（第１部分）、３２Ｅ…第２上面部（第２部分）、３２ａ…後端縁（第１端部、第２端部）、３２ｂ…屈曲部（第３端部、第４端部）、３２ｅ…エッジ、Ｃ…ケージ。
【図１】
0005776408.tif 000002
【図２】
0005776408.tif 000003
【図３】
0005776408.tif 000004
【図４】
0005776408.tif 000005
【図５】
0005776408.tif 000006
【図６】
0005776408.tif 000007
【図７】
0005776408.tif 000008
【図８】
0005776408.tif 000009
【図９】
0005776408.tif 000010
【図１０】
0005776408.tif 000011
【図１１】
0005776408.tif 000012
【図１２】
0005776408.tif 000013